(57)【特許請求の範囲】
【請求項１】
一対の毛髪挟体を、支軸を中心に開閉可能に連結し、毛髪挟体を閉じて挟んだ毛髪を毛髪挟体の外周にカール状に巻きつけるようにすると共に、
毛髪挟体を閉じた状態で、内側に毛髪挟体の長さ方向に沿う空洞部ができるように、毛髪挟体の少なくとも一方の内側に凹陥部を形成し、また毛髪挟体には通孔を形成し、この通孔を経由して前記空洞部を毛髪挟体の外部に連通し、
さらに毛髪挟体の枢軸側基部に開口するミスト供給口を前記空洞部にのぞませると共に、前記ミスト供給口に接続する超音波振動子ミスト発生器を毛髪挟体に備えてなるヘアトリートメント装置。
【請求項２】
前記一対の毛髪挟体の先端にそれぞれ端板を設け、毛髪挟体を閉じた状態で、両方の端板を向き合わせて前記空洞部の先端側を閉じるようにしてなる請求項１記載のヘアトリートメント装置。
【請求項３】
前記毛髪挟体の少なくとも一方に電熱ヒータを埋設してなる請求項１記載のヘアトリートメント装置。
【請求項４】
前記毛髪挟体に発光体を設けてなる請求項１記載のヘアトリートメント装置。
【請求項５】
前記ミスト供給口に金属メッシュを被せてなる請求項１記載のヘアトリートメント装置。
【請求項６】
前記通孔を毛髪挟体の長さ方向に沿うスリット状に形成してなる請求項１記載のヘアトリートメント装置。
【請求項７】
前記通孔にこれを開閉するシャッタを取付けたことを特徴とする請求項１又は６に記載のヘアトリートメント装置。
【請求項８】
前記毛髪挟体の外周部にブラシを植設したことを特徴とする請求項１記載のヘアトリートメント装置。
【発明の詳細な説明】
【技術分野】
【０００１】
本発明は、超音波振動により生成したミストを毛髪に与えてヘアトリートメントを行う装置に関する。
【背景技術】
【０００２】
毛髪を紫外線に長時間さらしたり毛染めを繰り返すと、毛髪の毛表皮（キューティクル）が剥げ落ち艶や手触りが損なわれるので、これを回復するのに、毛根に栄養を与えたり、洗髪後にトリートメント溶液、リンス、コンディショナ等を用いることが広く行われている。【０００３】
リンスやコンディショナの目的は、髪の表面を油分で被い、洗髪後の髪のきしみを防いで手触りを良くしたり、髪の水分の蒸発を抑えたりすることにある。またトリートメント溶液の目的は、前記のリンス等と同様の目的に加えて、毛髪の内部にまでタンパク質成分を浸透させ、ダメージ部分に栄養を補給することにある。
トリートメント溶液の場合、洗髪後にその溶液を毛髪に塗布し、数分以上の時間をかけて毛髪の内部に栄養成分を浸透させてから洗い落とすのであるが、リンスやコンディショナと異なり、ダメージ部分への栄養補給を目的とするため、毛髪にまんべんなく溶液を塗布する必要があると共に、塗布した状態で少なくとも数分間はそのままにしている必要がある。【０００４】
ところが頭皮に対しては、毛髪とは逆に、トリートメント溶液を長く付着したままにするのは好ましくない。トリートメント溶液の油分が頭皮に付着した状態が持続すると、頭皮の油分のバランスが崩れて脱毛の一因となるからである。
しかし実際のトリートメント溶液は乳液状で高粘度のものが多い。これはトリートメント溶液の効果を得るためにトリートメント溶液をまんべんなく毛髪に塗布するためであるが、高粘度のものは頭皮に長く付着するので、頭皮にとっては好ましくない。【０００５】
そこで高粘度のものよりも、化粧水のように低粘度のトリートメント溶液を使用するのが望ましい。しかし低粘度のトリートメント溶液は、使用者自らの手でその毛髪にまんべんなく塗布することが難しく、また特許文献１にあるようなヘアドライヤに備えるミスト発生器を利用して塗布する場合であっても、ブラシが保持する毛髪の量が一定にならないため、毛髪に均一にトリートメント溶液を塗布することは困難である。
【先行技術文献】
【特許文献】
【０００６】
【特許文献１】特開２０１０−１７２７８
【発明の概要】
【発明が解決しようとする課題】
【０００７】
このように、毛髪に栄養を吸収させるというトリートメント溶液の本来の目的を達成するには、トリートメント溶液を毛髪にまんべんなく塗布し、一定時間その状態を維持する必要があり、それと同時に、できるだけ長時間頭皮に溶液を接触させないという、相反することが要求される。そこで、頭皮のことを重視して、粘度が低いトリートメント溶液を使用すると、毛髪にまんべんなくトリートメント溶液を塗布するのが難しくムラができやすいという問題がある。
また、特許文献１のブラシ付きのヘアドライヤを使用した場合であっても、ブラシが保持する毛髪の量が一定にならず、トリートメント溶液を均一に塗布するのが難しいという問題がある。
【課題を解決するための手段】
【０００８】
本発明は、これらの問題を解決課題とするもので、次の技術的手段を講じた。
すなわち、請求項１記載のヘアトリートメント装置の発明は、一対の毛髪挟体を、支軸を中心に開閉可能に連結し、毛髪挟体を閉じて挟んだ毛髪を毛髪挟体の外周にカール状に巻きつけるようにすると共に、毛髪挟体を閉じた状態で、内側に毛髪挟体の長さ方向に沿う空洞部ができるように、毛髪挟体の少なくとも一方の内側に凹陥部を形成し、また毛髪挟体には通孔を形成し、この通孔を経由して前記空洞部と毛髪挟体の外部を連通し、さらに毛髪挟体の枢軸側基部に開口するミスト供給口を前記空洞部にのぞませ、このミスト供給口に接続する超音波振動子ミスト発生器を毛髪挟体に設ける。【０００９】
請求項２記載の発明は、請求項１記載の、一対の毛髪挟体の先端に、それぞれ端板を設け、毛髪挟体を閉じた状態で、両方の端板を向き合わせて前記空洞部の先端側を閉じるようにする。【００１０】
請求項３記載の発明は、請求項１記載の、一対の毛髪挟体のうち少なくとも一方に、電熱ヒータを埋設する。【００１１】
請求項４記載の発明は、請求項１記載の毛髪挟体に発光体を設ける。【００１２】
請求項５記載の発明は、請求項１記載のミスト供給口に金属メッシュを被せる。【００１３】
請求項６記載の発明は、請求項１記載の通孔を毛髪挟体の長さ方向に沿うスリット状に形成する。【００１４】
請求項７記載の発明は、請求項１又は６記載の通孔に、これを開閉するシャッタを取付ける。【００１５】
請求項８記載の発明は、請求項１記載の毛髪挟体の外周部にブラシを植設する。
【発明の効果】
【００１６】
請求項１に記載の発明では、毛髪挟体を閉じると、その内側に毛髪挟体の長さ方向に沿う空洞部ができるが、この空洞部にミスト供給口を経て超音波振動子ミスト発生器のミストが供給されると、ミストは通孔より外部に放出され、毛髪挟体の外周に巻きつけた毛髪に与えられる。ミストの原液として低粘度のトリートメント溶液を使用すれば、トリートメント溶液が微細なミストとなり毛髪全体にまんべんなく行き渡るうえ、超音波振動子ミスト発生器は常温のままでミスト化するので、長時間噴霧しても毛髪を傷めない。ミストは巻いた毛髪に集中し頭皮には付着しにくいので、好都合である。原液はスタイリング液や水などでもよい。水の場合、毛髪が湿って潤いを増すという効果が期待できる。【００１７】
請求項２に記載の発明によれば、毛髪挟体を閉じた状態で、両方の端板が向き合って空洞部の先端側を閉じるので、空洞部の中に供給されたミストの大半が通孔を経て巻いた毛髪に与えられるため、無駄が無く効率がよい。【００１８】
請求項３に記載の発明によれば、毛髪挟体の少なくとも一方に電熱ヒータを埋設するので、熱で毛髪の形をカールなどに保つことができる。【００１９】
請求項４に記載の発明によれば、前記毛髪挟体に発光体を設けるので、ミスト化したトリートメント溶液を毛髪に作用させると同時に、発光体の光の波長次第で毛髪のキューティクルを湿潤しやすくしたり、トリートメント溶液を浸透しやすくしたり出来る。【００２０】
請求項５に記載の発明によれば、ミスト供給口に金属メッシュを被せることにより、原液がトリートメント溶液でもミスト化でき、かつ前方に噴霧することが可能となる。【００２１】
請求項６に記載の発明によれば、通孔が毛髪挟体の長さ方向に沿うスリット状であるため、巻きつけた毛髪に満遍なくミストが供給でき、しかもスリット状の通孔が巻きつけた毛髪に対し直交するため、毛髪が通孔に落ち込まず、毛髪挟体の外周に沿って巻かれ、綺麗なカールが形成できる。【００２２】
請求項７に記載の発明によれば、ストレートアイロン時に通孔を閉じることにより、毛髪挟体に挟んだ毛髪に集中してミストを供給できる。また、カール時には通孔を開いて毛髪挟体の外周に沿って巻かれた毛髪に満遍なくミストを供給できる。【００２３】
請求項８に記載の発明によれば、毛髪挟体の外周部にブラシを植設したので、カール時に毛髪を巻きつけ易い。
【図面の簡単な説明】
【００２４】
【図１】本発明第１実施形態のヘアトリートメント装置の全体側面図
【図２】図１のＡ−Ａ線に沿う断面図
【図３】図１のヘアトリートメント装置の開いた状態を示す全体斜視図
【図４】図１のヘアトリートメント装置の長さ方向に沿う断面図で、内部機構の概略を示す。
【図５】本発明第２実施形態のヘアトリートメント装置の断面図
【図６】第２実施形態のヘアトリートメント装置の端面図
【図７】シャッタの展開図
【図８】本発明第３実施形態のヘアトリートメント装置の断面図
【発明を実施するための形態】
【００２５】
本発明の第１実施形態を図面に沿って説明すると、１及び２は一対の毛髪挟体で、支軸３を中心に開閉可能に連結している。図１は閉じた状態で、図３は開いた状態を示す。
毛髪挟体１、２の対向する内側に凹陥部４をそれぞれ形成し、毛髪挟体１、２を閉じた状態で凹陥部４、４により空洞部５を形成する。なお凹陥部４は空洞部５が形成できれば、毛髪挟体の一方にだけに形成し、他方は形成を省略してもよい。
６は通孔で、各毛髪挟体１、２の長さ方向に沿うスリット状に形成する。スリット状に限らず丸穴でもよいが、スリット状の場合、後述のように毛髪挟体１、２に毛髪を巻きつけたとき、通孔６が巻きつけた毛髪に対し直交するため、毛髪が通孔６に落ち込まず、毛髪挟体の外周に沿って巻かれ、綺麗なカールが形成できる利点がある。スリット状でも丸穴でも、空洞部５は通孔６を経由して外部と連通している。
７は毛髪挟体１，２の先端に設けた端板で、これにより毛髪挟体１，２を閉じた状態で、両方の端板を向き合わせて前記空洞部５の先端側を閉鎖する（図４）。
８は毛髪挟体１，２の壁に埋めた電熱ヒータである。
【００２６】
毛髪挟体１のうち通孔６の存在しない枢軸側基部９に、ミスト供給口１０を開口して空洞部５にのぞませる。ミスト供給口１０に金属メッシュを被せてもよい。
ミスト供給口１０の内部には、超音波振動子ミスト発生器１１を設置する。超音波振動子としては圧電素子を用いる。振動数は０．５ＭＨｚ〜５ＭＨｚが好ましい。１２はミスト発生器１１に接続するカートリッジ式の液貯留部で、内部にスポンジのような柔軟な多孔体を詰め、それに低粘度のトリートメント溶液を含浸し、図示しないチューブを経て超音波振動子ミスト発生器１１に溶液を適量供給する。供給する液はトリートメント溶液に限らない。水でもよい。液が空になれば液貯留部１２ごと交換する。
１３は超音波振動子ミスト発生器１１を駆動する回路基板、１４はその制御部である。１５はこれらの電源用のコードであるが、電池でもよい。
１６はＬＥＤのような発光体で毛髪挟体１、２の側面に取り付ける。
【００２７】
これを使用するには、図３のように毛髪挟体１，２を開いて頭髪の毛先を入れ、挟んだ状態で基部９を握って毛髪挟体１，２を回して、毛髪を毛髪挟体１，２の外周に巻きつける。
そこでスイッチ（図示省略）を入れ、超音波振動子ミスト発生器１１を起動すると、液貯留部１２のトリートメント溶液が超音波振動によりミスト化し、ミスト供給口１０より空洞部５に流れ出て、さらに通孔６より放出する。これが毛髪挟体１，２に巻きつけた毛髪に供給される。
しばらくこの状態を続けたら毛髪挟体１，２を逆に回して毛髪をほどく。これを適宜繰り返して毛髪にミスト化したトリートメント溶液（または水）を供給する。液がミスト化しているため毛髪全体にムラなく塗れ、また頭皮への付着を抑制できる。
【００２８】
また、ミスト供給による毛髪のケアと同時に、電熱ヒータ８に通電して毛髪挟体１，２を加熱し、その熱で毛髪を加温すると、並行してヘアアイロン効果を生じ、ヘアセッティングが実現できる。セッティングだけの場合は、ミストの供給を停止し加温のみを行う。
なお液貯留部１２にスタイリング液を入れても同様の効果が得られる。
ミスト供給口１０に金属メッシュを被せると、粘度の高いトリートメント溶液を霧状にでき、かつ前方に噴霧することが可能となる。また、金属メッシュはトリートメント溶液の粘度や成分によってメッシュサイズを交換できるようにし、それによりミストの大きさを変更して適切なサイズにすることができ有効成分の毛髪への浸透を容易にすることができる。メッシュの材料としてはステンレスに代表される金属メッシュのほか、トリートメント溶液の成分等によっては樹脂製、プラスチック製などあらゆるメッシュを採用することもできる。金属メッシュの穴のサイズは２〜５０μｍ程度とし、穴径によって加工方法を変更する。
発光体１６は、巻いた毛髪に照射することにより、毛髪のキューティクルが湿潤しやすくなる働きをし、トリートメント溶液がより浸透しやすくする作用がある。
また使用者は、毛髪のトリートメントを行う前に、シャンプではなく本器のミスト発生機能を用いて毛髪を湿潤させることもできる。その場合はトリートメント溶液の代わりに通常の水をタンクに蓄え、ミストのみが発生するモードにして本器を使用する。
上記実施形態ではカール時のみを説明したが、ストレートアイロン時は、毛髪挟体１，２を回さず毛先側に向けゆっくりと滑らせる。
【００２９】
次に、第２実施形態を説明する。図５はヘアトリートメント装置の断面図、図６はヘアトリートメント装置の端面図、図７はシャッタの展開図である。
この実施形態のヘアトリートメント装置は、毛髪挟体１、２の通孔６に開閉自在のシャッタ１７を取付け、このシャッタ１７を、ストレートアイロン時は閉、カール時は開にする。
シャッタ１７は毛髪挟体１、２の内側にそれぞれ取付けた樋状の部材であり、中央に開口１８を有する。さらに、シャッタ１７、１７の端部の外周に嵌合溝１９を設けると共に、毛髪挟体１、２の内周にこの嵌合溝１９と嵌合する突起（図示せず）を設けて、シャッタ１７、１７を毛髪挟体１、２に対し回動自在に嵌合する。
さらに、このシャッタ１７、１７は、回動により２つある通孔６を同時に塞ぐことができる位置に樋状部材の非開口部が位置するように形成する。
シャッタ１７、１７の回動は、一端部側に設けたツマミ２０、２０を長孔２０ａに沿って任意に移動して行う。
ストレートアイロン時は、毛髪を毛髪挟体１、２に巻きつけないので、シャッタ１７、１７を回動して通孔６を塞ぐことにより、毛髪挟体１、２に挟んだ部分の毛髪に集中してミストを供給できる。カール時は毛髪挟体１、２に巻きつけるので、シャッタ１７を回動して通孔６を開くことにより、毛髪挟体１、２に巻きつけた毛髪にミストを供給できる。
上記第２実施形態では樋状のシャッタ１７、１７を毛髪挟体１、２の内周側に設けているが本発明はこれに限るものではなく、外周側に設けてもよい。
【００３０】
次に、第３実施形態を説明する。図８は毛髪挟体１、２が閉じた状態のヘアトリートメント装置の断面図である。
この実施形態のヘアトリートメント装置では、毛髪挟体１、２の外周部にブラシ２１を植設する。ブラシ２１は、公知の頭髪用のブラシと同様でよい。
このように構成することにより、カール時に毛髪が毛髪挟体１、２の外周部でもヘアトリートメント装置に巻きつき易くなるという利点がある。
この第３実施形態と前記第２実施形態を組み合わせてもよい。この場合には、シャッタ１７、１７を毛髪挟体１、２の内周側に設ける。
【符号の説明】
【００３１】
１及び２  毛髪挟体
３  支軸
４  凹陥部
５  空洞部
６  通孔
７  端板
８  電熱ヒータ
９  枢軸側基部
１０  ミスト供給口
１１  超音波振動子ミスト発生器
１２  液貯留部
１６  発光体
【図１】
0005984268.tif 000002
【図２】
0005984268.tif 000003
【図３】
0005984268.tif 000004
【図４】
0005984268.tif 000005
【図５】
0005984268.tif 000006
【図６】
0005984268.tif 000007
【図７】
0005984268.tif 000008
【図８】
0005984268.tif 000009